(57)【要約】【課題】身体障害者及び被介護者等のための簡易入浴装置において、極めて簡単な構成によって、漏れ湯を防ぐこと。【解決手段】浴槽本体部Ａ１と浴槽開閉部Ａ２とからなる浴槽体Ａを備えた簡易入浴機において、前記浴槽本体部Ａ１の本体接合面部５は下端が外方に突出する急傾斜面とすること。該本体接合面部５にはパッキン材９装着されること。該パッキン材９の外側且つ下方に位置するようにして排水口６が形成されると共に、該排水口６に案内する排水溝7が前記パッキン材９の外周側に形成されること。【選択図】図１
2007135937.tif 000002
【特許請求の範囲】
【請求項１】
浴槽本体部と浴槽開閉部とからなる浴槽体を備えた簡易入浴機において、前記浴槽本体部の本体接合面部は下端が外方に突出する急傾斜面とし、該本体接合面部にはパッキン材が装着され、該パッキン材の外側且つ下方に位置するようにして排水口が形成されると共に、該排水口に案内する排水溝が前記パッキン材の外周側に形成されてなることを特徴とする簡易入浴装置のシール構造。
【請求項２】
請求項１において、前記浴槽開閉部は前記浴槽本体部に対して開閉自在となるように枢支連結されてなることを特徴とする簡易入浴装置のシール構造。
【請求項３】
請求項１において、前記浴槽開閉部は前記浴槽本体部に対して分離自在としてなることを特徴とする簡易入浴装置のシール構造。
【請求項４】
請求項１，２又は３のいずれか１項の記載において、前記排水溝は、幅方向両側の縦方向排水溝部と下方の下部排水溝部とからなり、前記縦方向排水溝部と下部排水溝部によって前記浴槽本体部の本体接合面部の全周に沿って形成されてなることを特徴とする簡易入浴装置のシール構造。
【請求項５】
請求項１，２，３又は４のいずれか１項の記載において、前記排水口は、前記排水溝の下部排水溝部内に配置されてなることを特徴とする簡易入浴装置のシール構造。
【請求項６】
請求項５において、前記排水溝の下部排水溝部は、前記排水口が設けられている位置が最低位置となるように形成されてなることを特徴とする簡易入浴装置のシール構造。
【請求項７】
請求項１，２，３，４，５又は６のいずれか1項の記載において、前記浴槽本体部には、前記浴槽開閉部を閉じた状態で該浴槽開閉部の外周縁箇所を抱囲するエプロン部が形成されてなることを特徴とする簡易入浴装置のシール構造。
【発明の詳細な説明】
【技術分野】
【０００１】
本発明は、身体障害者及び被介護者等のための簡易入浴装置のシール構造に関する。
【背景技術】
【０００２】
従来、身障者、老人等の被介護者のための介護専用の入浴設備として、種々の簡易浴槽が存在している。この種の浴槽の主なものとして、特許文献１乃至３に開示されているように、身障者、被介護者等の入浴者が槽内に入りやすくするために、浴槽に横扉を設けて、出入りが容易にできるようにしたものが存在している。
【０００３】
そして、浴槽に湯を入れる前に入浴者が扉を開いて、その出入り口から浴槽に入り、扉を閉じてから湯を入れるものである。この種の介護専用の浴槽で特に重要なことは、浴槽に設けた扉の水密構造である。すなわち、扉から湯が如何に漏れないようにすることができるかによって、この種の浴槽の性能の良否が決定されるものである。
【特許文献１】特開平７−２６５３７１号
【特許文献２】特開２００２−３３６３２５
【特許文献３】特開２００３−１９０２４４
【発明の開示】
【発明が解決しようとする課題】
【０００４】
特許文献１乃至３は、浴槽に扉が具備されたものである。まず、特許文献１（特開平７−２６５３７１号）では、ケース内の可撓管に空気、液体が流入し、その圧力によって可撓管が膨張し、可撓管によってシール材が抑圧されてケースから突き出し浴槽と扉を密閉させるものである。
【０００５】
しかし、この特許文献１における扉のシール構造では、密閉のための可撓管、可撓管を膨張収縮させるための供給機、導管等が設置され、さらにこれらを制御するための制御装置（シール解除スイッチ等）等が必要であり、このようなシール機構を構成するための部品が多くなり、且つ高価なものも含まれ、その結果、構成が複雑となり、しかもコスト高となるものである。
【０００６】
さらに、前記可撓管は、入浴時ごとに膨張を繰り返すことになるため、可撓管には、疲労が溜まり易く、使用寿命が短くなることも十分にあり得る。よって、メインテナンス及び部品交換には特に注意を払わなくてはならず、維持費がかかることになる。或は、このような条件の下で可撓管の使用寿命を長くしようとすれば、当然高性能な材質を使用しなくてはならず、これによって、さらにまた高価格なものとなるおそれが十分にある。
【０００７】
特許文献２（特開２００２−３３６３２５）では、ドアと浴槽の両方にＵ字型のパッキンを設け、ドアをしめることでパッキン同士が密着し、お湯の漏れを防ぐ構造である。しかし、パッキンの密着度合いは環境の湿度、温度によって異なり、密着が満足でない場合もあり、そのために湯の漏れるおそれがある。また、パッキンの水分，温度による劣化および経年劣化等でパッキンの弾力性が無くなった場合に漏れる可能性がある。さらに湯が漏れた場合、浴槽の湯が浴槽周辺を濡らしたり、また、浴槽内の湯が減り、満足な入浴感が得ることができないおそれがある。
【０００８】
また、特許文献３（特開２００３−１９０２４４）では、扉側にパッキング材が備わっているもので、前記特許文献２と同様の理由によってパッキング材から湯の漏れるおそれがある。すなわち、上記特許文献１乃至３による扉（ドア）の水密（シール）構造は、いずれも湯が漏れる可能性を有している。本発明が解決しようとする課題（技術的課題又は目的）は、身障者、老人等の被介護者のための介護専用入浴設備において、極めて簡単な構成によって、漏れ湯を防ぎ、ひいては低価格にて提供することを実現することである。
【課題を解決するための手段】
【０００９】
請求項１の発明は、浴槽本体部と浴槽開閉部とからなる浴槽体を備えた簡易入浴機において、前記浴槽本体部の本体接合面部は下端が外方に突出する急傾斜面とし、該本体接合面部にはパッキン材が装着され、該パッキン材の外側且つ下方に位置するようにして排水口が形成されると共に、該排水口に案内する排水溝が前記パッキン材の外周側に形成されてなる簡易入浴装置のシール構造としたことにより、上記課題を解決した。
【００１０】
次に、請求項２の発明は、前述の構成において、前記浴槽開閉部は前記浴槽本体部に対して開閉自在となるように枢支連結されてなる簡易入浴装置のシール構造としたことにより、上記課題を解決した。請求項３の発明は、前述の構成において、前記浴槽開閉部は前記浴槽本体部に対して分離自在としてなる簡易入浴装置のシール構造としたことにより、上記課題を解決した。
【００１１】
次に、請求項４の発明は、前述の構成において、前記排水溝は、幅方向両側の縦方向排水溝部と下方の下部排水溝部とからなり、前記縦方向排水溝部と下部排水溝部によって前記浴槽本体部の本体接合面部の全周に沿って形成されてなる簡易入浴装置のシール構造としたことにより、上記課題を解決した。請求項５の発明は、前述の構成において、前記排水口は、前記排水溝の下部排水溝部内に配置されてなる簡易入浴装置のシール構造としたことにより、上記課題を解決した。
【００１２】
次に、請求項６の発明は、前述の構成において、前記排水溝の下部排水溝部は、前記排水口が設けられている位置が最低位置となるように形成されてなる簡易入浴装置のシール構造としたことにより、上記課題を解決した。請求項７の発明は、前述の構成において、前記浴槽本体部には、前記浴槽開閉部を閉じた状態で該浴槽開閉部の外周縁箇所を抱囲するエプロン部が形成されてなる簡易入浴装置のシール構造としたことにより、上記課題を解決した。
【発明の効果】
【００１３】
請求項１の発明は、浴槽本体部とこの浴槽本体部に開閉自在に設けた浴槽開閉部とからなる浴槽体において、前記浴槽本体部の本体接合面部に、パッキン材が装着され、その本体接合面部の下方且つパッキン材の外側に排水口が設けられると共に前記パッキン材の外周部に排水溝が設けられた構成である。
【００１４】
よって、前記本体接合面部に装着されたパッキン材が長期に亘る使用等にて劣化したり、または、前記浴槽本体部と浴槽開閉部を閉じた状態における水密性が低下（閉付け不足）して、たとえ浴槽体内の湯がパッキン材から漏れ出したとしても、その漏れ湯は前記排水溝に流入し、該排水溝が漏れ湯を排水口に案内して、漏れ湯を適正に排出することができるものである。
【００１５】
そのために、浴槽体の外部に湯が漏れだすことを防止することができる。しかも、その排水構造は、排水口と排水溝が形成されるのみの極めて簡易な構造であり、しかも信頼性の高い防水機能を得ることができる。しかも、前記浴槽本体部の本体接合面部は、その下端が外方に突出する急傾斜面としているので、前記パッキン材から漏れた湯は、その急傾斜面を触れながら流下してゆくので、前記排水溝への流入を確実にすることができ、漏れ湯が排水溝を越えて浴槽体外部に漏れ出すことを防止できるものである。
【００１６】
次に、請求項２の発明によって、前記浴槽開閉部は前記浴槽本体部に対して開閉自在となるように枢支連結されているので、前記浴槽開閉部は入浴者及び介護人において扉の感覚で開閉することができ、装置の扱いが簡単にできる。次に、請求項３の発明によって、浴槽開閉部は、浴槽本体部に対して分離したものにできるので、浴槽本体部及び浴槽本体部をそれぞれ別々にして手入れしたり、清掃することができ、維持管理を容易にすることができる。
【００１７】
請求項４の発明は、前述の構成において、前記排水溝は、幅方向両側の縦方向排水溝部と下方の下部排水溝部とからなり、前記縦方向排水溝部と下部排水溝部によって前記浴槽本体部の本体接合面部の全周に沿って形成された構成としているので、浴槽本体部と浴槽開閉部を閉じた状態において、パッキン材のいずれの箇所から漏れた湯であっても、その漏れ湯を排水溝が確実に受けて、該排水溝の下方に流れてゆき、そのまま排水口から適正に排水される。これによって、より一層確実なる防水性を得ることができる。
【００１８】
次に、請求項５の発明によって、前記排水口は、前記排水溝の下部排水溝部内に配置されることにより、排水溝の両縦方向排水溝部内に流入した漏れ湯は、下部排水溝部から排水口により一層確実に案内されるものであり、極めて高い確実性を有する防水性を得ることができるものである。請求項６の発明によって、前記排水溝の下部排水溝部は、前記排水口が設けられている位置が最低位置となるように形成されることにより、前記下部排水溝部に案内された漏れ湯は、排水口に向って集中し易くなり、排水機能をより一層，高めることができる。
【００１９】
また、請求項７の発明によって、前記浴槽本体部には、前記浴槽開閉部を閉じた状態で該浴槽開閉部の外周縁箇所を抱囲するエプロン部が形成されることにより、入浴を終え、浴槽体から湯を抜いた後、浴槽開閉部を浴槽本体部から開いたときに、残る湯滴を前記エプロン部で受止めることができる。さらに、前記排水口をエプロン部の底部位置に形成することで、湯滴は排出口に伝えられ、排水させることができ、周囲を濡らすことなく入浴後の掃除を楽にすることができるものである。
【発明を実施するための最良の形態】
【００２０】
以下、本発明の実施形態を図面に基づいて説明する。本発明の構成は、主に浴槽本体部Ａ1と浴槽開閉部Ａ２とから構成され、その浴槽本体部Ａ1と浴槽開閉部Ａ２とで浴槽体Ａが構成される〔図１（Ａ），図３，図７等参照〕。その浴槽本体部Ａ1には、浴槽空隙部１が形成されている。該浴槽空隙部１は、浴槽開閉部Ａ２と共に浴槽内部を構成する。
【００２１】
前記浴槽本体部Ａ1の形状は、図１（Ａ），図７等に示すように、略立方体又は略直方体等で且つ開口が形成されて略半開き又は半割り形状としたものであり、カプセル或は繭形等の筐体形状に形成されたものである。前記半開き部分を構成する開口部は、隣接する２面が連続する状態に形成されたものである。その２つの開口は、前記筐体状の浴槽本体部Ａ１の正面及び上面に位置して、前記浴槽空隙部１と連通している。
【００２２】
そして、前記浴槽本体部Ａ１の上方に位置する開口部が上面開口部２となり、正面側に位置する開口部が出入り口部３となる。前記上面開口部２は、浴槽体Ａに注いだ湯面に位置する開口となり、前記出入り口部３は、入浴者が浴槽体Ａの浴槽空隙部１内に出入りするための開口となり、前記浴槽開閉部Ａ２を浴槽本体部Ａ１に閉じることで浴槽空隙部１が水密性を有して設けられる部位である。
【００２３】
その浴槽本体部Ａ１と浴槽開閉部Ａ２とは、合成樹脂で形成されており、それぞれが成形型によって一体成形品として形成される。その浴槽本体部Ａ１と浴槽開閉部Ａ２とが開閉する構成となっており、その開閉構造は、前記浴槽本体部Ａ１に前記浴槽開閉部Ａ２が枢支連結されて、スイングする扉状構造としたものと、前記浴槽本体部Ａ１に前記浴槽開閉部Ａ２とが完全に分離する構造としたものが存在する。
【００２４】
前記浴槽開閉部Ａ２を扉状構造としたものでは、前記浴槽本体部Ａ１の出入り口部３に対して、前記浴槽開閉部Ａ２は蝶番により枢支連結されて、該浴槽開閉部Ａ２が水平方向に開閉自在とし、クリップ金具等にて両者がロック状態に接合されるものである。また、前記浴槽本体部Ａ１に前記浴槽開閉部Ａ２とが完全に分離する構造としたものは、前記扉構造としたものと同様に、クリップ金具が使用されるものであるが、このクリップ金具と共に前記浴槽本体部Ａ１に前記浴槽開閉部Ａ２との相互の位置決め用にタボとタボ孔が具備されることもある。
【００２５】
前記浴槽本体部Ａ１の内部には、座席部４が形成されている。該座席部４は、図１（Ａ），図７（Ｂ）に示すように、前記浴槽本体部Ａ１の高さ方向においてその中央より下方に位置して形成され、且つ前記浴槽本体部Ａ１に一体成形されたものである。前記座席部４は、座面４ａと背もたれ面４ｂとから構成されたものである。その浴槽本体部Ａ１の内部には、水ぬき部、バブル噴射口等が装備されている。該バブル噴射口によって多数の気泡を湯の中に噴出し、入浴者の汚れを落としたり、又は体を適当に刺激して入浴を心地良いものとしている。
【００２６】
その浴槽本体部Ａ１と浴槽開閉部Ａ２の接合する部分は接合面部であり、その接合面部を前記浴槽本体部Ａ１側では本体接合面部５とし、浴槽開閉部Ａ２側では開閉接合面部１０と称する〔図１（Ａ）参照〕。その浴槽開閉部Ａ２側には、開閉側空隙部１１が設けられている。該開閉側空隙部１１は、前記浴槽本体部Ａ１に前記浴槽開閉部Ａ２を閉じた状態で、前記浴槽空隙部１と共に浴槽を構成するものであって、前記開閉側空隙部１１は、特に入浴者の足が収納されるスペースとなる（図７参照）。
【００２７】
前記本体接合面部５は、前記浴槽本体部Ａ１の出入り口部３の周囲を構成するものである。その本体接合面部５は、前記浴槽本体部Ａ１を正面側より見ると略Ｕ字形状であり、また前記本体接合面部５は、前記浴槽本体部Ａ１の下端が外方に突出する急傾斜面である。すなわち、浴槽本体部Ａ１の下端位置が上端よりも該浴槽本体部Ａ１の前方側（正面側）に突出する傾斜面となっている〔図１（Ａ）参照〕。
【００２８】
その本体接合面部５の幅方向両側における上下方向に沿う面を縦方向接合面５ａと称する。また、前記本体接合面部５における前記浴槽本体部Ａ１の底部箇所に位置する面は底部接合面５ｂと称する。前記両縦方向接合面５ａ，５ａは所定の間隔（前記出入り口部３の幅に等しい）をおいて略平行状態であり、該縦方向接合面５ａの下端で前記底部接合面５ｂと連続形成されている。
【００２９】
そして、これら両縦方向接合面５ａ，５ａと前記底部接合面５ｂにて、略Ｕ字形状の平坦面が構成されるものである〔図1（Ａ），図３参照〕。そして、前記縦方向排水溝部５ａと底部接合面５ｂとの接続箇所は、円弧状に連続している。また、前述したように、前記本体接合面部５は、傾斜面であり、前記両縦方向接合面５ａは下端が上端よりも浴槽本体部Ａ１の正面側に突出するように傾斜する面となっている。
【００３０】
その本体接合面部５に、パッキン材９が貼着される。具体的には、該パッキン材９は、前記両縦方向接合面５ａ，５ａ及び底部接合面５ｂのそれぞれの長手方向に沿って連続状態で貼着されている。すなわち、前記パッキン材９は、前記本体接合面部５の形状と同様に、略Ｕ字形状に沿って貼着されている〔図１（Ａ），図３参照〕。前記パッキン材９は、密封性のある管状、ロープ状等のゴム材又は合成樹脂が使用される。そして、パッキン材９は、本体接合面部５の内周側寄りに貼着されることが好ましい。このパッキン材９は、前記浴槽本体部Ａ１に前記浴槽開閉部Ａ２が閉じた状態で、水密性を構成する役目をなすものである。
【００３１】
その浴槽本体部Ａ１側の本体接合面部５には、図１乃至図３に示すように、排水口６及び排水溝７が形成されている。前記排水溝７は、前記パッキン材９の外側に位置するようにして、前記本体接合面部５側に形成されている。その排水溝７は、前記本体接合面部５の両縦方向接合面５ａ，５ａと底部接合面５ｂに沿って形成されるものであり、その排水溝７が形成される部位に従って縦方向排水溝部７ａ，７ａと、下部排水溝部７ｂとから構成される。前記縦方向排水溝部７ａ，７ａと、下部排水溝部７ｂとは連通している。
【００３２】
すなわち、前記排水溝７も前記本体接合面部５及びこれに貼着されたパッキン材９の形状と略同様に、前記縦方向排水溝部７ａ，７ａ及び下部排水溝部７ｂは、Ｕ字形状を構成している。そして、前記パッキン材９から漏れた湯が、該パッキン材９の外周側に形成された前記排水溝７の縦方向排水溝部７ａ，７ａ或は下部排水溝部７ｂに流入するようになっている〔図５（Ａ），（Ｂ）参照〕。前記排水口６は、本体接合面部５の下部に形成され、具体的には前記底部接合面５ｂに形成されている。その排水口６は、前記パッキン材９から漏れた湯を吸い込み適正に浴槽本体部Ａ１の外部に排出するものである。
【００３３】
また、前記排水口６は、前記排水溝７の下部排水溝部７ｂの長手方向中央位置に形成されている。具体的には前記排水溝６は、図１，図２に示すように、前記排水溝７の下部排水溝部７ｂの溝内部に位置し、さらに具体的には、排水口６は下部排水溝部７ｂの溝底面に位置している。そして、前記パッキン材９から漏れ出した湯は、前記排水溝７に流入し、該排水溝７の縦方向排水溝部７ａ，７ａと下部排水溝部７ｂに沿って前記排水口６に案内されるようになっている。
【００３４】
特に、前記排水溝７の下部排水溝部７ｂは、前記排水口６が設けられている位置が最低位置となるように形成されている。すなわち、前記下部排水溝部７ｂにおいて、排水口６が前記下部排水溝部７ｂの略中央箇所に形成され、且つ前記排水口６の位置を最も低い位置となるように、前記下部排水溝部７ｂが扁平Ｖ字形状となるように形成される実施形態とすることもある（図６参照）。この実施形態では、前記排水口６の両側箇所で、該排水口６に向って下り傾斜となるよう形成され、前記排水溝７に傾斜角度θとなる勾配が設けられる。このようにすることによって、漏れた湯が下部排水溝部７ｂに浸入すると、その漏れ湯は、最も低い位置に流れ、前記排水口６に吸い込まれるようにすることができる。
【００３５】
次に、エプロン部８は、図１，図２に示すように、前記本体接合面部５の外周に沿って形成され、さらに前記浴槽本体部Ａ１の正面側外方側に向って突出形成されたものである。そして、前記エプロン部８は、前記浴槽本体部Ａ１に前記浴槽開閉部Ａ２を閉じた状態で該浴槽開閉部Ａ２の外周縁箇所を抱囲し、該浴槽開閉部Ａ２の開閉接合面部１０の外周箇所が前記エプロン部８の内周側に収納される状態となる〔図５（Ｃ）参照〕。そして、湯漏れによる水滴の飛散を防止する役目をなすものである。
【００３６】
このエプロン部８は、前記パッキン材９から漏れた湯を前記排水溝７が受けて浴槽体Ａの外部に漏れないようにしているが、万が一その排水溝７から湯が漏れてしまったときに、そのエプロン部８によって、漏れ湯を受け止めるものである。このように、浴槽本体部Ａ１は前記排水溝７と、エプロン部８とを共に有したことで、前記浴槽体Ａのパッキン材９から漏れた湯が浴槽体Ａ外部に流れることを確実に防止するものである。また、浴槽体Ａ内の湯を完全に抜いて、浴槽本体部Ａ１から浴槽開閉部Ａ２を開いたときに僅かに漏れる水滴をエプロン部８により受け止めて、外部に水滴が漏れないようにすることもできる。
【００３７】
図８，図９は、本発明における別の実施形態の浴槽体Ａが記載されたものであり、該浴槽体Ａをリクライニングタイプとしたものである。このタイプは、前記浴槽本体部Ａ１が垂直面上を揺動すると共に、適宜の位置で停止且つ固定するようにしたものであり、このような動作をするために、後述するリクライニング機構が浴槽支持フレームＢに装着され、そのリクライニング機構により、前記浴槽体Ａが揺動して傾斜したり、水平状となって入浴可能な状態とすることができるものである。該浴槽体Ａは、前述した浴槽体Ａと同様に、浴槽本体部Ａ１と浴槽開閉部Ａ２とから構成されたものである。このリクライニングタイプにおいても、該浴槽開閉部Ａ２は、前記浴槽本体部Ａ１に対して枢支連結されてスイング扉タイプ〔図９（Ａ）参照〕としたものや、分離タイプ〔図１２（Ｂ）参照〕としたものが存在する。
【００３８】
このリクライニングタイプにおける浴槽本体部Ａ１も、前述したリクライニング機構を具備しないタイプの浴槽本体部Ａ１と同様にパッキン材９が装着され、該パッキン材９の外側且つ下方に位置するようにして排水口６が形成され、該排水口６に案内する排水溝７が前記パッキン材９の外周側に位置して形成されている（図１０参照）。
【００３９】
そして、この実施形態においても前記排水溝７も前記本体接合面部５及びこれに貼着されたパッキン材９の形状と略同様に、前記縦方向排水溝部７ａ，７ａ及び下部排水溝部７ｂは、Ｕ字形状又は凹字形状を構成している。そして、前記パッキン材９から漏れた湯が、該パッキン材９の外周側に形成された前記排水溝７の縦方向排水溝部７ａ，７ａ或は下部排水溝部７ｂに流入するようになっている〔図１１（Ａ）参照〕。
【００４０】
また、リクライニングタイプの浴槽体Ａでは、使用していないときには浴槽本体部Ａ１の本体接合面部５は垂直面である〔図８（Ａ），図９（Ａ）参照〕であるが、入浴者が入浴しているときには、前記浴槽本体部Ａ１の前記本体接合面部５は下方側が正面（外方）側に向って突出するように傾斜面となるので、漏れ湯はその傾斜面を伝わって前記排水溝７から前記排水口６に流れ込むことができる〔図１１（Ｂ）参照〕。
【００４１】
まず、前記浴槽体Ａを使用する前の状態は、前記浴槽支持フレームＢに対して椅子の状態となっている〔図８（Ａ），図９（Ｂ）参照〕。そして、入浴者が入浴を行うときには、まず浴槽本体部Ａ１が略椅子の状態となるように、前記浴槽支持フレームＢにセットされている〔図８（Ａ），図９（Ａ）参照〕。前記浴槽開閉部Ａ２は、前記浴槽本体部Ａ１に対して開いた状態にして、入浴者が座席部４に腰掛ける。そして、前記浴槽開閉部Ａ２が前記浴槽本体部Ａ１に閉じられ、前記浴槽本体部Ａ１と前記浴槽開閉部Ａ２からなる浴槽体Ａが浴槽支持フレームＢ上で水平状態となり〔図８（Ｂ），図９（Ｂ）参照〕、湯が入れられて入浴が行われる。
【図面の簡単な説明】
【００４２】
【図１】（Ａ）は本発明の浴槽本体部と浴槽開閉部とが開いた状態における一部切除した斜視図、（Ｂ）は（Ａ）のイ部拡大斜視図、（Ｃ）は（Ａ）の浴槽本体部の排水口箇所における拡大正面図である。
【図２】（Ａ）は本発明の浴槽本体部の要部拡大斜視図、（Ｂ）は（Ａ）のロ部拡大斜視図である。
【図３】浴槽本体部の正面図である。
【図４】（Ａ）は本体接合面部の一部切除した要部拡大正面図、（Ｂ）は（Ａ）のＸ１−Ｘ１矢視端面図、（Ｃ）は（Ａ）のＸ２−Ｘ２矢視端面図である。
【図５】（Ａ）は漏れ湯が排水溝から排水口に案内される状態を示す作用図、（Ｂ）は（Ａ）の排水口箇所における拡大図、（Ｃ）は（Ａ）のＸ３−Ｘ３矢視の位置におけるパッキン材からの漏れ湯を排水口に案内している状態の作用図である。
【図６】別の実施形態の排水溝における下部排水溝部の要部拡大正面図である。
【図７】（Ａ）は本発明の浴槽本体部と浴槽開閉部とを閉じてセットされた浴槽の斜視図、（Ｂ）は浴槽の縦断側面図である。
【図８】（Ａ）はリクライニングタイプとした本発明の側面図、（Ｂ）はリクライニング状態の側面図である。
【図９】（Ａ）はリクライニングタイプとした本発明の斜視図、（Ｂ）はリクライニング状態の斜視図である。
【図１０】リクライニングタイプとした浴槽本体部の正面図である。
【図１１】（Ａ）は漏れ湯が排水溝から排水口に案内される状態を示す作用図、（Ｂ）は（Ａ）のＸ４−Ｘ４矢視の位置におけるパッキン材からの漏れ湯を排水口に案内している状態の作用図である。
【図１２】（Ａ）は浴槽本体部と浴槽開閉部とを分離したタイプの側面図、（Ｂ）はリクライニングタイプにおける浴槽本体部と浴槽開閉部とを分離したタイプの側面図である。
【符号の説明】
【００４３】
Ａ…浴槽体、Ａ１…浴槽本体部、Ａ２…浴槽開閉部、５…本体接合面部、６…排水口、７…排水溝、7ａ…縦方向排水溝部、７ｂ…下部排水溝部、８…エプロン部、
９…パッキン材。
【図１】
2007135937.tif 000003
【図２】
2007135937.tif 000004
【図３】
2007135937.tif 000005
【図４】
2007135937.tif 000006
【図５】
2007135937.tif 000007
【図６】
2007135937.tif 000008
【図７】
2007135937.tif 000009
【図８】
2007135937.tif 000010
【図９】
2007135937.tif 000011
【図１０】
2007135937.tif 000012
【図１１】
2007135937.tif 000013
【図１２】
2007135937.tif 000014